【手続補正書】
【提出日】平成22年11月24日(2010.11.24)
【手続補正１】
【補正対象書類名】明細書
【補正対象項目名】０１１９
【補正方法】変更
【補正の内容】
【０１１９】
図１７は、単一のストライプデバイダアレイ１７１０を利用して平行ストライプカラーフィルタ１５３０および単一の白色光発光蛍光材料または異なる色を発光する異なる蛍光材料から形成される平行蛍光ストライプ１７２０両方を分離する、プリズム層１３１０を有するスクリーン設計の別の例を示す。図１５および１６の設計におけるサーボマークとしての別個のストライプデバイダアレイ１５６０は、スクリーン構造を単純化する目的から削除されている。単一のストライプデバイダアレイ１７１０は、ストライプデバイダおよびサーボマークの両方として利用され、ストライプデバイダ１５６０の材料から形成することができる。図１５および１６の設計とは異なり、この例では、各カラーフィルタ１５３０と蛍光層１７２０との間に、およびこれらに直接接触するように形成される低屈折率透過層１７３０が利用されている。低屈折率透過層１７３０は、蛍光材料のものより低い屈折率を有して、それぞれのインタフェースの全反射が引き起こす光学損失が低減されたスクリーンの各カラーフィルタ１５３０に対する光学スループットを増加する。層１７３０は、層１７２０と１５３０との間に封止されたジェル層であってよい。プリズム層１３１０および蛍光材料のものより小さい屈折率を持つ第２の低屈折率透過層１５８０が、プリズム層１３１０および蛍光層１７２０の間に形成されて、スクリーンの光学出力を増加する。重合体材料または空気間隙を第２の低屈折率透過層１５８０として利用することができる。
【手続補正２】
【補正対象書類名】明細書
【補正対象項目名】０１２８
【補正方法】変更
【補正の内容】
【０１２８】
スクリーン設計の幾らかにおいては、１以上の層が蛍光ストライプにわたる連続層であってよく、ストライプデバイダにより複数のストライプに分離されていなくてよい。例えば、図２２、２４、および２５のフィルムベース層２２０２、および図１５、１６、１８、および２２の誘電体層１５４０、図４および１１のカプセル化層１１２０、ゲイン層４２３、および図１４、１８、２２、２３、２４、および２５の高屈折率層１４０１が、このような連続層であってよい。このような連続層においては、蛍光層から放出された可視光が連続層の２つの表面間で反射され得て、これにより隣接するサブピクセル内に反射されることで画像のスメアを生じてしまうことがある。さらに、１つのサブピクセルを対象とした励起光が、隣接するサブピクセル内に反射されて、該隣接するサブピクセルで誤った色を励起して、望ましくないハロー効果を生じてしまうこともある。これらの悪い効果を低減する一方法は、連続層等の厚みをサブピクセルの幅未満の値（蛍光ストライプに垂直な水平方向沿いの１つのサブピクセルの１０倍未満）に制限することである。
【手続補正３】
【補正対象書類名】特許請求の範囲
【補正対象項目名】全文
【補正方法】変更
【補正の内容】
【特許請求の範囲】
【請求項１】
連結されて平面積層を形成する複数の平行なスクリーン層を備え、
前記複数の平行なスクリーン層は、
励起波長の励起光を吸収して、異なる可視波長の可視光を放出する蛍光層と、
前記励起光を受け取り、前記蛍光層に導く複数のプリズム部材を含むプリズム層と、を含む、ディスプレイスクリーン。
【請求項２】
前記プリズム層の反対側の前記蛍光層の側で前記蛍光スクリーンに接し、前記蛍光層の屈折率より低い屈折率を有する低屈折率層と、
前記低屈折率層と接し、前記低屈折率層の前記屈折率より高い屈折率を有するスクリーン層と、をさらに備える、請求項１に記載のディスプレイスクリーン。
【請求項３】
前記低屈折率層は空気間隙である、請求項２に記載のディスプレイスクリーン。
【請求項４】
前記蛍光層は、複数の平行な蛍光ストライプを有し、
前記ディスプレイスクリーンは、２つの隣接する蛍光ストライプ間に各々配置される複数の平行なストライプデバイダをさらに備える、請求項１に記載のディスプレイスクリーン。
【請求項５】
前記複数のストライプデバイダは、光学的に反射性および不透明性の白色塗料を含む、請求項４に記載のディスプレイスクリーン。
【請求項６】
前記白色塗料は、樹脂と、ＴｉＯ２または硫酸バリウムいずれかとの混合物である、請求項５に記載のディスプレイスクリーン。
【請求項７】
各ストライプデバイダは、前記励起光および前記可視光とは異なる波長の蛍光光を放出する蛍光材料を有する、請求項４に記載のディスプレイスクリーン。
【請求項８】
各ストライプデバイダは反射性金属被膜を有する、請求項４に記載のディスプレイスクリーン。
【請求項９】
前記複数の蛍光ストライプのうち、少なくとも３つの隣接する蛍光ストライプは、前記励起光を吸収して第１の色の第１の可視光を放出する第１の蛍光材料、前記励起光を吸収して第２の色の第２の可視光を放出する第２の蛍光材料、前記励起光を吸収して第３の色の第３の可視光を放出する第３の蛍光材料からそれぞれ形成される、請求項４に記載のディスプレイスクリーン。
【請求項１０】
各蛍光ストライプは、前記励起光を吸収して白色光を放出する蛍光材料を有し、
前記複数のスクリーン層は、複数の平行なフィルタストライプを有するフィルタ層をさらに含み、各フィルタストライプは、対応する蛍光ストライプに対して前記複数のスクリーン層に垂直な方向に位置合わせされ、前記蛍光層は前記プリズム層と前記フィルタ層との間に配設され、
少なくとも３つの隣接するフィルタストライプは、第１の色の第１の可視光を透過して第２の色および第３の色を含む他の色の光を吸収する第１のフィルタ材料、第２の色の第２の可視光を透過して第１の色および第３の色を含む他の色の光を吸収する第２のフィルタ材料、第３の色の第３の可視光を透過して第１の色および第２の色を含む他の色の光を吸収する第３のフィルタ材料、からそれぞれ形成される、請求項４に記載のディスプレイスクリーン。
【請求項１１】
前記複数のスクリーン層は、複数の平行なフィルタストライプを含むフィルタ層をさらに含み、各フィルタストライプは、対応する蛍光ストライプに対してスクリーン基板に垂直な方向に位置合わせされ、前記蛍光層は前記プリズム層と前記フィルタ層との間に配設され、
少なくとも３つの隣接するフィルタストライプは、第１の色の第１の可視光を透過して第２の色および第３の色を含む他の色の光を吸収する第１のフィルタ材料、第２の色の第２の可視光を透過して第１の色および第３の色を含む他の色の光を吸収する第２のフィルタ材料、第３の色の第３の可視光を透過して第１の色および第２の色を含む他の色の光を吸収する第３のフィルタ材料、からそれぞれ形成される、請求項４に記載のディスプレイスクリーン。
【請求項１２】
前記複数のスクリーン層は、複数の第２の平行なストライプデバイダをさらに含み、各ストライプデバイダは２つの隣接するフィルタストライプ間に配設される、請求項１１に記載のディスプレイスクリーン。
【請求項１３】
前記複数のスクリーン層は、前記蛍光層と前記フィルタ層との間に誘電体層をさらに含み、
前記複数のストライプデバイダは前記誘電体層に接しており、間隙により前記誘電体層と前記フィルタ層とを互いから隔てさせる、請求項１２に記載のディスプレイスクリーン。
【請求項１４】
前記フィルタ層と前記誘電体層との間の前記間隙には、前記誘電体層の屈折率より低い屈折率を有する低屈折率誘電体材料が充てんされる、請求項１３に記載のディスプレイスクリーン。
【請求項１５】
前記フィルタ層と前記誘電体層との間の前記間隙には空気が充てんされる、請求項１３に記載のディスプレイスクリーン。
【請求項１６】
前記複数のスクリーン層は、複数の平行なフィルタストライプを含むフィルタ層をさらに含み、各フィルタストライプは、２つの隣接するストライプデバイダ間に形成され、前記２つの隣接するストライプデバイダ間の対応する蛍光ストライプに対して位置合わせされ、前記蛍光層は前記プリズム層と前記フィルタ層との間に配設され、
少なくとも３つの隣接するフィルタストライプは、第１の色の第１の可視光を透過して第２の色および第３の色を含む他の色の光を吸収する第１のフィルタ材料、第２の色の第２の可視光を透過して第１の色および第３の色を含む他の色の光を吸収する第２のフィルタ材料、第３の色の第３の可視光を透過して第１の色および第２の色を含む他の色の光を吸収する第３のフィルタ材料、からそれぞれ形成される、請求項４に記載のディスプレイスクリーン。
【請求項１７】
前記複数のスクリーン層は、前記プリズム層と各蛍光ストライプとの間に誘電体層をさらに含み、前記誘電体層は、前記蛍光ストライプの屈折率より低い屈折率を有する、請求項１６に記載のディスプレイスクリーン。
【請求項１８】
前記複数のスクリーン層は、各フィルタストライプと、該フィルタストライプに対応する蛍光ストライプとの間に、誘電体層をさらに含む、請求項１６に記載のディスプレイスクリーン。
【請求項１９】
前記蛍光層は、前記励起光を吸収して白色光を放出する均一な蛍光材料層を含み、
前記複数のスクリーン層は、複数の平行なフィルタストライプを有するフィルタ層をさらに含み、前記蛍光層は前記プリズム層と前記フィルタ層との間に配設され、
少なくとも３つの隣接するフィルタストライプは、第１の色の第１の可視光を透過して第２の色および第３の色を含む他の色の光を吸収する第１のフィルタ材料、第２の色の第２の可視光を透過して第１の色および第３の色を含む他の色の光を吸収する第２のフィルタ材料、第３の色の第３の可視光を透過して第１の色および第２の色を含む他の色の光を吸収する第３のフィルタ材料、からそれぞれ形成される、請求項１に記載のディスプレイスクリーン。
【請求項２０】
前記複数のスクリーン層は、前記蛍光層の、前記プリズム層が配設される側とは反対の側にフィルタ層をさらに含み、
前記フィルタ層は、前記励起光の透過を遮蔽し、前記可視光のスペクトル領域にわたり減衰が均一な前記可視光を透過する、請求項１に記載のディスプレイスクリーン。
【請求項２１】
前記複数のスクリーン層は、
前記可視光を透過して、前記励起光を遮蔽する選択的遮蔽層と、
前記可視光のスペクトル領域にわたり減衰が均一な状態に前記可視光を減衰する減光フィルタ層と、をさらに含み、
前記選択的遮蔽層および前記減光フィルタ層は、前記蛍光層の、前記プリズム層が配設される側とは反対の側に配設される、請求項１に記載のディスプレイスクリーン。
【請求項２２】
前記プリズム層は、前記励起光を受け取る第１の層であり、隣接するスクリーン層とは空気間隙により隔てられる、請求項１に記載のディスプレイスクリーン。
【請求項２３】
前記プリズム層は、複数の平行なプリズムストライプを含み、
前記蛍光層は、前記複数の平行なプリズムストライプに垂直な、複数の平行な蛍光ストライプを含む、請求項１に記載のディスプレイスクリーン。
【請求項２４】
前記プリズム層の、前記蛍光層が配設される側とは反対の側に配設されるフレネルレンズ層をさらに備え、前記フレネルレンズ層は前記励起光を前記プリズム層へ方向付ける、請求項１に記載のディスプレイスクリーン。
【請求項２５】
連結されて平面積層を形成する複数のスクリーン層を備え、
前記複数のスクリーン層は、
複数の平行な蛍光ストライプを含み、励起波長の励起光を吸収して、異なる可視波長の可視光を放出する蛍光層と、
複数の平行なストライプデバイダであって、各ストライプデバイダが２つの隣接する蛍光ストライプ間に配設され前記放出された可視光に対して反射性および不透明性を有する複数の側壁を有して２つの隣接する蛍光ストライプを光学的に分離する、複数の平行なストライプデバイダと、
前記複数のストライプデバイダと接し、前記蛍光層から隔てられる誘電体層と、を含み、前記誘電体層と各蛍光ストライプとの間には間隙が形成される、ディスプレイスクリーン。
【請求項２６】
前記間隙には空気が充てんされる、請求項２５に記載のディスプレイスクリーン。
【請求項２７】
前記複数のスクリーン層は、
前記励起光を受け取り、前記蛍光層の前記誘電体層とは反対の側に配設される入射層と、
前記蛍光層の、前記誘電体層が配設される側にフィルタ層と、をさらに含み、
前記フィルタ層は、前記励起光の透過を遮蔽し、前記可視光のスペクトル領域にわたり減衰が均一な前記可視光を透過する、請求項２５に記載のディスプレイスクリーン。
【請求項２８】
前記複数のスクリーン層は、
前記励起光を受け取り、前記蛍光層の前記誘電体層とは反対の側に配設される入射層と、
前記可視光を透過して、前記励起光を遮蔽する選択的遮蔽層と、
前記可視光のスペクトル領域にわたり減衰が均一な状態に前記可視光を減衰する減光フィルタ層と、を含み、
前記選択的遮蔽層および前記減光フィルタ層は、前記蛍光層の、前記入射層が配設される側とは反対の側に配設される、請求項２５に記載のディスプレイスクリーン。
【請求項２９】
前記複数のスクリーン層は、複数の平行なフィルタストライプを有するフィルタ層をさらに含み、各フィルタストライプは、それぞれの蛍光ストライプに対して前記複数のスクリーン層に垂直な方向に位置合わせされ、前記フィルタ層の各フィルタストライプは、前記間隙とそれぞれの蛍光ストライプとの間に配設され、
少なくとも３つの隣接するフィルタストライプは、第１の色の第１の可視光を透過して第２の色および第３の色を含む他の色の光を吸収する第１のフィルタ材料、第２の色の第２の可視光を透過して第１の色および第３の色を含む他の色の光を吸収する第２のフィルタ材料、第３の色の第３の可視光を透過して第１の色および第２の色を含む他の色の光を吸収する第３のフィルタ材料、からそれぞれ形成される、請求項２５に記載のディスプレイスクリーン。
【請求項３０】
各フィルタストライプは、２つの隣接するストライプデバイダ間に形成されて、前記２つの隣接するストライプデバイダ間の対応する蛍光ストライプに対して位置合わせされる、請求項２９に記載のディスプレイスクリーン。
【請求項３１】
前記複数のストライプデバイダは、光学的に反射性および不透明性の白色塗料を含む、請求項３０に記載のディスプレイスクリーン。
【請求項３２】
前記白色塗料は、ＴｉＯ２または硫酸バリウムと樹脂との混合物である、請求項３１に記載のディスプレイスクリーン。
【請求項３３】
各ストライプデバイダは反射性金属被膜を有する、請求項３０に記載のディスプレイスクリーン。
【請求項３４】
各ストライプデバイダは、前記励起光を吸収し、前記励起光および前記可視光とは異なる波長の蛍光光を放出する、請求項３０に記載のディスプレイスクリーン。
【請求項３５】
前記誘電体層の、前記蛍光層が配設される側とは反対の側に配設されるフレネルレンズ層をさらに備え、前記フレネルレンズ層は前記励起光を前記誘電体層へ方向付ける、請求項２５に記載のディスプレイスクリーン。
【請求項３６】
スクリーン基板と、
前記スクリーン基板の上に形成され、複数の平行な蛍光ストライプを有し、可視光とは異なる波長の励起光を吸収して前記可視光を放出する蛍光層と、
各々が２つの隣接する蛍光ストライプ間に配設される、複数の平行なストライプデバイダと、
前記基板の上に形成され、前記励起光を受け取り、前記励起光を透過し、前記可視光を反射する二色性層と、を備えるディスプレイスクリーン。
【請求項３７】
複数の誘電体ストライプを有する誘電体層をさらに備え、各誘電体ストライプは前記二色性層と前記蛍光層との間であって、隣接するストライプデバイダ間に配設される、請求項３６に記載のディスプレイスクリーン。
【請求項３８】
前記スクリーン基板の上に形成されるフィルタ層をさらに備え、
前記フィルタ層は、各々が２つの隣接するストライプデバイダ間に形成され、前記２つの隣接するストライプデバイダ間の対応する蛍光ストライプに対して位置合わせされる複数の平行なフィルタストライプを含み、前記蛍光層は前記二色性層と前記フィルタ層との間に形成され、
少なくとも３つの隣接するフィルタストライプは、第１の色の第１の可視光を透過して第２の色および第３の色を含む他の色の光を吸収する第１のフィルタ材料、第２の色の第２の可視光を透過して第１の色および第３の色を含む他の色の光を吸収する第２のフィルタ材料、第３の色の第３の可視光を透過して第１の色および第２の色を含む他の色の光を吸収する第３のフィルタ材料、からそれぞれ形成される、請求項３６に記載のディスプレイスクリーン。
【請求項３９】
複数の誘電体ストライプを有する誘電体層をさらに備え、各誘電体ストライプは２つの隣接するストライプデバイダ間であって、前記蛍光層と前記フィルタ層との間に配設される、請求項３８に記載のディスプレイスクリーン。
【請求項４０】
前記複数のストライプデバイダは、光学的に反射性の白色塗料を含む、請求項３６に記載のディスプレイスクリーン。
【請求項４１】
前記白色塗料は、ＴｉＯ２または硫酸バリウムと樹脂との混合物である、請求項４０に記載のディスプレイスクリーン。
【請求項４２】
各ストライプデバイダは反射性金属被膜を有する、請求項３６に記載のディスプレイスクリーン。
【請求項４３】
各ストライプデバイダは、前記励起光および前記可視光とは異なる波長の蛍光光を放出する蛍光材料を有する、請求項３６に記載のディスプレイスクリーン。
【請求項４４】
前記可視光を透過して、前記励起光を反射する第２の二色性層をさらに備え、
前記第２の二色性層は前記スクリーン基板の上に形成され、前記蛍光層は前記二色性層と前記第２の二色性層との間に配設される、請求項３６に記載のディスプレイスクリーン。
【請求項４５】
前記２の二色性層と接する誘電体層をさらに備え、前記第２の二色性層は前記蛍光層と前記誘電体層との間に配設される、請求項４４に記載のディスプレイスクリーン。
【請求項４６】
複数の平行な蛍光ストライプを有し、可視光とは異なる波長の励起光を吸収して前記可視光を放出する蛍光層と、
前記蛍光層の第１面に形成され、前記励起光を受け取り、前記励起光を前記蛍光層へ方向付ける入射層と、
前記第１面に対向する前記蛍光層の第２面に形成され、前記可視光のスペクトル領域にわたり減衰が均一な前記可視光を透過する材料から形成されるフィルタ層と、を備えるディスプレイスクリーン。
【請求項４７】
前記フィルタ層は、前記励起光の透過をさらに遮蔽する、請求項４６に記載のディスプレイスクリーン。
【請求項４８】
前記第１面に対向する前記蛍光層の第２面に形成され、前記励起光の透過を遮蔽し、前記可視光を透過する、請求項４６に記載のディスプレイスクリーン。
【請求項４９】
前記入射層は、複数のプリズム部材を有するプリズム層を含む、請求項４６に記載のディスプレイスクリーン。
【請求項５０】
前記入射層は、平坦な表面を有し前記励起光を受け取る誘電体層を含む、請求項４６に記載のディスプレイスクリーン。
【請求項５１】
励起光を吸収して、可視光を放出する蛍光層と、
前記蛍光層の第１面に形成され、前記励起光を透過し前記可視光を反射する第１の層と、を備え、
前記第１の層は、複数のプリズム部材を有するプリズム層を含む、ディスプレイスクリーン。
【請求項５２】
前記蛍光層は、複数の平行な蛍光ストライプと、前記複数の蛍光ストライプ間の複数のストライプデバイダとを含む、請求項５１に記載のディスプレイスクリーン。
【請求項５３】
各ストライプデバイダは、前記励起光による励起下で不可視蛍光光を放出する、請求項５２に記載のディスプレイスクリーン。
【請求項５４】
励起光を吸収して白色光を放出する蛍光層と、
前記蛍光層に隣接し、前記放出された白色光を受け取り、前記白色光をフィルタにかけてカラー光を透過するカラーフィルタアレイと、を備え、
前記カラーフィルタアレイ内の各カラーフィルタは、指定色を透過し、他の色の光を吸収し、各カラーフィルタの指定色は、隣接するカラーフィルタが透過する指定色とは異なる、ディスプレイスクリーン。
【請求項５５】
前記蛍光層の第１面に形成され、前記白色光を前記蛍光層へと透過して、前記可視光を反射する第１の層をさらに備える、請求項５４のディスプレイスクリーン。
【請求項５６】
前記第１の層は、複数のプリズム部材を有するプリズム層を含む、請求項５５のディスプレイスクリーン。
【請求項５７】
ディスプレイスクリーンであって、
連結されて平面積層を形成する複数のスクリーン層を備え、
前記複数のスクリーン層は、
複数の平行な蛍光ストライプを含み、励起波長の励起光を吸収して、前記励起波長とは異なる波長の可視光を放出する蛍光層と、
複数の平行なストライプデバイダであって、各ストライプデバイダが２つの隣接する蛍光ストライプ間に配設され前記放出された可視光に対して反射性および不透明性を有して２つの隣接する蛍光ストライプを光学的に分離する、複数の平行なストライプデバイダと、
前記複数の蛍光ストライプおよび前記複数のストライプデバイダと接して、前記励起光を前記複数の蛍光ストライプ内に導く誘電体層と、
複数の平行なフィルタストライプを有するフィルタ層であって、各フィルタストライプは、対応する蛍光ストライプに対して前記複数のスクリーン層に垂直な方向に位置合わせされ、前記蛍光層が前記誘電体層と前記フィルタ層との間に配設される、フィルタ層と、
前記蛍光層と前記フィルタ層との間に配設される第２の誘電体層と、
各々が、２つの隣接するフィルタストライプ間に前記第２の誘電体層と接するよう配設される複数の第２の平行なストライプデバイダと、を含み、
少なくとも３つの隣接するフィルタストライプは、第１の色の第１の可視光を透過して第２の色および第３の色を含む他の色の光を吸収する第１のフィルタ材料、第２の色の第２の可視光を透過して第１の色および第３の色を含む他の色の光を吸収する第２のフィルタ材料、第３の色の第３の可視光を透過して第１の色および第２の色を含む他の色の光を吸収する第３のフィルタ材料、からそれぞれ形成される、ディスプレイスクリーン。
【請求項５８】
複数の第２の平行なストライプデバイダは、透過性の前記誘電体層と前記フィルタ層とを間隙により互いから隔てさせる、請求項５７に記載のディスプレイスクリーン。
【請求項５９】
前記フィルタ層と前記透過性の誘電体層との間の前記間隙には空気が充てんされる、請求項５８に記載のディスプレイスクリーン。
【請求項６０】
各第２の平行なストライプデバイダの、蛍光層とは反対側のファセットは、光学的に吸収性を有する、請求項５７に記載のディスプレイスクリーン。
【請求項６１】
励起波長の励起光を透過する第１の誘電体層と、
複数の平行な蛍光ストライプを有し、前記励起光を吸収して、異なる可視波長の可視光を放出する蛍光層と、
空気間隙により前記複数の蛍光ストライプから隔てられ、少なくとも部分的に前記可視光を透過する第２の誘電体層と、を備え、
前記蛍光層は、前記第１の誘電体層と前記第２の誘電体層との間に配設される、ディスプレイスクリーン。
【請求項６２】
前記第２の誘電体層は前記励起光を遮蔽する、請求項６１に記載のディスプレイスクリーン。
【請求項６３】
前記第２の誘電体層は、可視光スペクトル領域の光を均一に減衰する、請求項６１に記載のディスプレイスクリーン。
【請求項６４】
前記第２の誘電体層は前記励起光を遮蔽し、可視光スペクトル領域の光を均一に減衰する、請求項６１に記載のディスプレイスクリーン。
【請求項６５】
複数の平行な蛍光ストライプを有する蛍光層であって、各平行な蛍光ストライプは、該蛍光ストライプを光学的に励起する励起光の照射下で可視光を放出する、蛍光層と、
２つの隣接する蛍光ストライプ間に各々配置され、該２つの隣接する蛍光ストライプを隔てさせる、複数の平行なストライプデバイダと、を備え、
各ストライプデバイダは、前記励起光をフィードバック光として反射するビーズを含む、ディスプレイスクリーン。
【請求項６６】
各ストライプデバイダは、前記ビーズが支持されるバインダ材料を有する、請求項６５に記載のディスプレイスクリーン。
【請求項６７】
前記バインダ材料は、前記ビーズの屈折率より低い屈折率を有する、請求項６６に記載のディスプレイスクリーン。
【請求項６８】
前記バインダ材料は樹脂であり、
前記ビーズはガラスまたはプラスチック材料から形成される、請求項６６に記載のディスプレイスクリーン。
【請求項６９】
各ビーズは、部分的透過性且つ部分的反射性の被膜で被われる、請求項６５に記載のディスプレイスクリーン。
【請求項７０】
各ビーズの外部は反射性の被膜で被われる、請求項６５に記載のディスプレイスクリーン。
【請求項７１】
前記反射性の被膜は金属層である、請求項７０に記載のディスプレイスクリーン。
【請求項７２】
複数の平行な蛍光ストライプを有する蛍光層であって、各平行な蛍光ストライプは、該蛍光ストライプを光学的に励起する励起光の照射下で可視光を放出する、蛍光層と、
２つの隣接する蛍光ストライプ間に各々配置され、該２つの隣接する蛍光ストライプを隔てさせる、複数の平行なストライプデバイダと、
前記複数の平行な蛍光ストライプデバイダの上に、前記複数の平行な蛍光ストライプデバイダとそれぞれ位置合わせされるよう形成された複数の平行なプリズムストライプと、を備え、
各プリズムストライプは、前記励起光をフィードバック光として反射する、ディスプレイスクリーン。
【請求項７３】
平坦な表面を有する基板と、
複数の平行な蛍光ストライプであって、前記平坦な表面に形成され、２つの隣接する蛍光ストライプ間の間隙により互いから隔てられる、複数の平行な蛍光ストライプと、
前記複数の蛍光ストライプ各々の周辺部分と、前記複数の蛍光ストライプ間の前記平坦な表面とを被う金属被膜と、を備える、ディスプレイスクリーン。
【請求項７４】
基板の平坦な表面に、複数の平行な蛍光ストライプを、２つの隣接する蛍光ストライプ間の間隙により互いから隔てられるよう形成する工程と、
前記複数の蛍光ストライプを完全に被い、前記平坦な表面の上の前記複数の蛍光ストライプ間の前記間隙を覆うよう金属被膜を堆積する工程と、
前記金属被膜の層および各蛍光ストライプの一部を除去して、各蛍光ストライプの中央部分を露出させ、各蛍光ストライプの周辺部分の前記金属被膜を少なくとも残存させる工程と、を備えるディスプレイスクリーン製造方法。